(57)【要約】      （修正有）【課題】容器を収容した状態で使用するときは外れにくく、分離して使用するときには、容易に外すことができる飲料容器を提供する。【解決手段】内容器１と、内容器を着脱可能に収容する取っ手２付きの外容器３とからなり、内容器の外周面に、外容器の内周面に密着するシールリング１０が設けられ、外容器の取っ手近傍の内周面に、シールリングと外容器の内周面との間に隙間を形成するように通気路１３が設けられる。通気路は、シールリングよりも下方の位置から外容器の上縁部に達するように上下方向に形成される。【選択図】図２
0003212607.tif 000002
【実用新案登録請求の範囲】
【請求項１】
内容器と、内容器を着脱可能に収容する外容器とからなり、内容器を外容器に嵌め込んだ状態で使用可能であるとともに、それぞれ単独で使用できるように外容器と内容器とが分離可能な飲料容器であって、内容器の外周面に、外容器の内周面に密着するシールリングが設けられ、外容器の内周面に、シールリングと外容器の内周面との間に隙間を形成するように通気路が設けられたことを特徴とする飲料容器。
【請求項２】
内容器と、内容器を着脱可能に収容する取っ手付きの外容器とからなり、内容器を外容器に嵌め込んだ状態で使用可能であるとともに、それぞれ単独で使用できるように外容器と内容器とが分離可能な飲料容器であって、内容器の外周面に、外容器の内周面に密着するシールリングが設けられ、外容器の取っ手の近傍の内周面に、シールリングと外容器の内周面との間に隙間を形成するように通気路が設けられたことを特徴とする飲料容器。
【請求項３】
内容器の外周面の上部は下部よりも大径とされ、上部と下部との間に段部が形成され、段部が外容器の上縁部に保持され、段部の下方にシールリングが配置され、通気路は、シールリングよりも下方の位置から外容器の上縁部に達するように外容器の上部に上下方向に形成されたことを特徴とする請求項１または２記載の飲料容器。
【請求項４】
通気路は、上下方向に沿って外容器の内周面に形成された縦長の溝であることを特徴とする請求項１〜３のいずれかに記載の飲料容器。
【考案の詳細な説明】
【技術分野】
【０００１】
本考案は、一方の容器を他方の容器に収容して、１つの容器として使用したり、２つの容器を分離して、それぞれの容器を単独で使用できるようにした分離可能な飲料容器に関する。
【背景技術】
【０００２】
従来のコップホルダーでは、例えば特許文献１に記載されているように、取っ手付きの外容器に形状の異なる内容器が堅牢に保持される。内容器を外容器に収容することにより、１つの飲料容器として使用できる。この内容器を外容器から分離すれば、内容器は単独で飲料容器として使用可能である。
【０００３】
ここで、外容器に内容器を重ねるように収容した場合、内容器を外容器から簡単に分離できると、内容器を単独で使いやすくなる。積み重ねた容器を容易に離すことができるように、例えば特許文献２では、容器の段部に突部が形成され、上方の容器は突部で下方の容器の上縁部に係止される。上下の容器は突部で点接触しているだけなので、上下の容器を容易に分離できる。
【先行技術文献】
【特許文献】
【０００４】
【特許文献１】特開２０１５−１４６９２９号公報
【特許文献２】登録実用新案第３０２０７５９号公報
【考案の開示】
【考案が解決しようとする課題】
【０００５】
上記のような構造にすることにより、２つの容器を容易に分離することができる。しかし、２つの容器を重ねて、１つの飲料容器として使用する場合、容器が簡単に外れるおそれがあり、飲料がこぼれる。
【０００６】
そこで、本考案は、上記に鑑み、容器を収容した状態で使用するときは外れにくく、分離して使用するときには、容易に外すことができる飲料容器の提供を目的とする。
【課題を解決するための手段】
【０００７】
本考案の飲料容器は、内容器と、内容器を着脱可能に収容する外容器とからなり、内容器を外容器に嵌め込んだ状態で使用可能であるとともに、それぞれ単独で使用できるように外容器と内容器とが分離可能なものである。内容器の外周面に、外容器の内周面に密着するシールリングが設けられ、外容器の内周面に、シールリングと外容器の内周面との間に隙間を形成するように通気路が設けられる。
【０００８】
そして、外容器が取っ手付きの場合、外容器の取っ手の近傍の内周面に、通気路が設けられる。例えば通気路として、外容器の内周面に溝が設けられる。
【０００９】
内容器のシールリングが外容器に密着することにより、外容器に収容された内容器はしっかりと保持され、外容器が内容器から外れにくくなる。また、通気路を設けることにより、内容器と外容器との間にできる空間が密閉空間にならずにすみ、内容器を外容器に対して出し入れしやすくなる。
【００１０】
内容器の外周面の上部は下部よりも大径とされ、上部と下部との間に段部が形成され、段部が外容器の上縁部に保持され、段部の下方にシールリングが配置され、通気路は、シールリングよりも下方の位置から外容器の上縁部に達するように上下方向に形成される。
【考案の効果】
【００１１】
本考案によると、内容器を外容器に収容してもがたつかずに使用できるとともに、内容器と外容器を簡単に分離できるので、それぞれ別々の飲料容器として使用できる。
【図面の簡単な説明】
【００１２】
【図１】本考案の内容器を外容器に収容した状態の飲料容器の正面図
【図２】飲料容器の断面図
【図３】内容器と外容器に分離した状態の飲料容器の斜視図
【図４】他の実施形態の外容器の斜視図
【考案を実施するための最良の形態】
【００１３】
本実施形態の飲料容器を図１〜３に示す。飲料容器は、内容器１と、内容器１とは形状の異なる取っ手２付きの外容器３とからなり、内容器１は、外容器３に着脱可能に収容され、かつ外容器３から分離可能とされる。内容器１を外容器３に嵌め込んだ状態で１つの飲料容器として使用可能であるとともに、内容器１および外容器３は、それぞれ単独の飲料容器として使用できる。
【００１４】
内容器１は、保温性を有する飲料容器、例えばステンレス鋼製の２重構造のコップである。内容器１は、鉛直な外周面を有する上部４と、下方に向かって縮径した有底の下部５とから形成される。上部４は、下部５よりも大径とされ、上部４と下部５との間に、テーパ状の下面を有する段部６が形成される。
【００１５】
段部６の下方の外周面に、シールリング１０が設けられる。シールリング１０は、環状に形成されたシリコーン樹脂からなる。下部４の外周面に、円周方向に沿って凹み１１が形成され、凹み１１にシールリング１０が嵌め込まれる。シールリング１０は、下部５の外周面から突出しているが、上部４の外周面よりも小径とされる。
【００１６】
外容器３は、取っ手２付きの飲料容器、例えばポリプロピレン樹脂製のタンブラーである。外容器３の外周面に取っ手２が一体的に形成される。外容器３の内周面は、内容器１の上部４の外周面よりも小径で下部５の外周面よりも大径とされる。
【００１７】
外容器３の上部１２の内周面は鉛直に形成されている。この上部１２の内周面に、通気路１３が設けられる。通気路１３は、上下方向に沿って形成された１本の縦長の溝である。通気路１３の上端は外容器３の上縁部に達する。そして、通気路１３は、取っ手２の近傍に位置する。すなわち、取っ手２が設けられる外周面に対応する内周面に、通気路１３が設けられる。通気路１３の上下方向の長さは、内容器１の段部６の下面からシールリング１０の下端までの長さよりも大とされる。
【００１８】
図１，２に示すように、内容器１は外容器３に収容される。このとき、内容器１の段部６の下面が外容器３の上縁部に当接して、内容器１の下部５が外容器３に入り込む。内容器１の下部５の外周面は外容器３の内周面には接触しない。内容器１の上部４は外容器３よりも上方に突出する。
【００１９】
そして、シールリング１０が外容器３の上部１２の内周面に密着する。シールリング１０により、内容器１の下部５と外容器３との間には空間１４が形成される。シールリング１０は通気路１３を跨ぎ、シールリング１０と外容器３の内周面との間に隙間が形成される。通気路１３の下端はシールリング１０よりも下方に位置するので、空間１４は通気路１３を通じて外部に連通して、内容器１と外容器３との間は密閉空間にはならない。
【００２０】
ここで、内容器１を外容器３に嵌め込むとき、外容器３の上部１２の内周面は鉛直に形成されているので、シールリング１０は外容器３の内周面に沿って接触しながら押し下げられる。このとき、内容器１と外容器３との間に形成される空間１４内の空気は通気路１３を通って外部に排出される。空間１４の内圧が高くならず、スムーズに内容器１を外容器３に挿入することができる。
【００２１】
内容器１が外容器３に収容された状態において、取っ手２付きの飲料容器として使用できる。このとき、シールリング１０が外容器３の内周面に密着しているので、シールリング１０の摩擦力により内容器１が外容器３にしっかりと保持される。したがって、使用中に内容器１ががたついたり、内容器１を持っても、外容器３が外れることはない。
【００２２】
次に、内容器１と外容器３とをそれぞれ単独で使用する場合、内容器１を外容器３から外す。内容器１を引っ張ると、シールリング１０がずり上がり、内容器１が外容器３から離れる。このとき、内容器１と外容器３との間に形成されていた空間１４が広がるが、通気路１３を通じて空間１４に外気が入るので、空間１４が負圧になることがない。そのため、内容器１を容易に外すことができる。
【００２３】
内容器１は、保温性を有する飲料容器として使用される。外容器３は、取っ手２付きの飲料容器として使用される。外容器３の取っ手２を持って飲料を飲むとき、通気路１３は取っ手２の近傍にあるので、飲むときに邪魔にならない。しかも、通気路１３は外容器３の上部１２にだけ形成されているので、通気路１３に飲料が溜まりにくく、通気路１３が目詰まりすることはない。
【００２４】
なお、本考案は、上記実施形態に限定されるものではなく、本考案の範囲内で上記実施形態に多くの修正および変更を加え得ることは勿論である。他の実施形態として、図４に示すように、通気路１３として、外容器３の内周面に、一対の縦壁１５を上下方向に平行に形成する。シールリング１０が外容器３に密着したとき、両縦壁１５とシールリング１０との間に隙間が形成され、空気が出入りできる。なお、縦溝１５を１本だけにしてもよい。この場合、シールリング１０が外容器３に密着したとき、縦溝１５の左右両側に隙間が形成され、左右の隙間が通気路１３となる。
【００２５】
また、外容器３が取っ手のないカップなどの飲料容器であってもよい。この場合、通気路１３は、外容器３の上部の内周面の任意の位置に設けられる。なお、通気路１３の位置がわかるように、外容器３の外周面に線、模様、図柄などの目印をつけるとよい。さらに、内容器１および外容器３は、上記形状のものに限らず、グラス、ボトル、ボウルなどであってもよい。さらに、各容器１，３の材質も陶器、木、ガラスなどであってもよい。
【符号の説明】
【００２６】
１    内容器
２    取っ手
３    外容器
４    上部
５    下部
６    段部
１０    シールリング
１３    通気路
１４    空間
【図１】
0003212607.tif 000003
【図２】
0003212607.tif 000004
【図３】
0003212607.tif 000005
【図４】
0003212607.tif 000006